(57)【要約】【課題】簡便な手段に指針の回転中心側にＬＣＤ等の表示部を配設する。フロントウィンドシールドに少なくとも２つの画像を同時に表示でき、かつ、表示サイズおよび表示位置をそれぞれ異なるようにする。【解決手段】基板１１６に設けられた第１、２ＬＥＤ１１７ａ、１１７ｂからの光を第１、２プリズム１１８ａ、１１８ｂを介して表示部１１４に導く。これにより、ＬＣＤ用の光源を指針の回転中心側に設ける必要がなく、速度計１１０（指針計器）の構造を単純なものとすることができるので、速度計１１０（指針計器）の大型化及び製造原価上昇を抑制しつつ、簡便な手段に指針の回転中心側にＬＣＤ製の表示部１１４を配設することができる。【選択図】図２
2006300958.tif 000002
【特許請求の範囲】
【請求項１】
回転する指針（１１３）及び目盛盤（１１１）を有する指針計器であって、
前記目盛盤（１１１）の目盛部（１１２）より前記指針（１１３）の回転中心側に位置し、かつ前記指針の上方に設けられ、信号線を介して入力される信号に応じて情報を表示する表示手段（１１４）と、
前記指針（１１３）を回転させる回動内機（１１５）と、
前記回動内機（１１５）が固定された基板（１１６）と、
前記基板（１１６）に設けられた二つの光源（１１７ａ、１１７ｂ）と、
前記光源（１１７ａ、１１７ｂ）の光を前記表示手段（１１４）に導く二つの導光手段（１１８ａ、１１８ｂ）とを備え、
前記光源を前記指針の非回転中心側に設けたことを特徴とする指針計器。
【請求項２】
前記指針（１１３）を照らす指針用光源（１１７ｃ）は、前記光源（１１７ａ、１１７ｂ）が設けられた前記基板（１１６）に設けられていることを特徴とする請求項１に記載の指針計器。
【請求項３】
前記光源（１１７ａ、１１７ｂ）の発光色が互いに相違することを特徴とする請求項１または２に記載の指針計器。
【請求項４】
前記表示手段（１１４）は、液晶ディスプレイであることを特徴とする請求項１〜３のいずれか１項に記載の指針計器。
【請求項５】
前記目盛盤は平面が環状の形状を有しており、前記表示手段はこの環状形状の前記目盛盤の環状内側に位置していることを特徴とする請求項１〜４のいずれか１項に記載の指針計器。
【発明の詳細な説明】
【技術分野】
【０００１】
本発明は、回転する指針及び目盛盤を有する指針計器に関するもので、車両用の速度計や回転計に適用して有効である。
【背景技術】
【０００２】
車両用の速度計（回転計も含む。）として、例えば特開２０００−１０８７２２号公報に記載の発明では、目盛盤の目盛部より指針の回転中心側に液晶ディスプレイ（以下、ＬＣＤと表記する。）を設けている。
【発明の開示】
【発明が解決しようとする課題】
【０００３】
ところで、通常のＬＣＤでは、バックライト等の光源を必要とするので、ＬＣＤ用の光源を指針の回転中心側に設けると、この光源に電力を供給する電気配線を指針の回転中心側に設けなければならないので、指針計器の構造が複雑になり、指針計器の大型化及び製造原価上昇を招いてしまう。
【０００４】
本発明は、上記点に鑑み、簡便な手段に指針の回転中心側にＬＣＤ等の表示手段を配設することを目的とする。
【課題を解決するための手段】
【０００５】
本発明は、上記目的を達成するために、請求項１に記載の発明では、回転する指針（１１３）及び目盛盤（１１１）を有する指針計器であって、目盛盤（１１１）の目盛部（１１２）より指針（１１３）の回転中心側に位置し、かつ指針（１１３）の上方に設けられ、信号線を介して入力される信号に応じて情報を表示する表示手段（１１４）と、指針（１１３）を回転させる回動内機（１１５）と、回動内機（１１５）が固定された基板（１１６）と、基板（１１６）に設けられた二つの光源（１１７ａ、１１７ｂ）と、光源（１１７ａ、１１７ｂ）の光を表示手段（１１４）に導く二つの導光手段（１１８ａ、１１８ｂ）とを備えることを特徴とする。
【０００６】
これにより、表示手段（１１４）用の光源を指針（１１３）の回転中心側に設ける必要がないので、指針計器の構造を単純なものとすることができる。したがって、指針計器の大型化及び製造原価上昇を抑制しつつ、簡便な手段に指針の回転中心側に表示手段（１１４）を配設することができる。
【０００７】
なお、指針（１１３）を照らす指針用光源（１１７ａ、１１７ｂ）は、請求項２に記載の発明のごとく、光源（１１７ａ、１１７ｂ）が設けられた基板（１１６）に設けてもよい。
【０００８】
また、請求項３に記載の発明のごとく、その二つの光源の発光色を互いに相違させてもよい。
【０００９】
さらに、請求項４に記載の発明のごとく、表示手段を液晶ディスプレイから構成してもよい。
【００１０】
また、請求項５に記載の発明のごとく、目盛盤を平面が環状の形状とし、表示手段をこの環状形状の目盛盤の環状内側に位置せしめてもよい。
【００１１】
因みに、上記各手段の括弧内の符号は、後述する実施形態に記載の具体的手段との対応関係を示す一例である。
【発明を実施するための最良の形態】
【００１２】
（実施形態）
本実施形態は、本発明に係る指針計器を車両用の速度計に適用したものであって、図１は車両速度を表示する速度計１１０、エンジン回転を表示する回転計１２０、エンジン冷却水の温度を表示する水温計１３０、及び燃料の残量を表示する燃料計１４０等からなるコンビネーションメータ１００の正面図である。
【００１３】
因みに、１０１は方向指示灯（図示せず。）の点灯を示すインジケータであり、１０２はオートマチィックトランスミッション（ＡＴ）のギヤポジションを示すポジションインジケータである。
【００１４】
以下、本発明の実施形態である速度計１１０について述べる。
【００１５】
１１１は速度目盛り１１２ａが印刷された目盛部１１２を有する目盛盤であり、１１３は目盛部１１２（速度目盛り１１２ａ）を指し示す指針である。そして、目盛部１１２より指針１１３の回転中心側には、走行距離を示すオドメータ１１４ａ、シートベルトの着用を促す警告灯１１４ｂ、及びカーナビションシステムからの情報を表示する簡易ナビ表示部１１４ｃからなるＬＣＤ製の表示部（表示手段）１１４が設けられている。なお、図１から明白なように、目盛盤１１１は平面が環状の形状を有しており、ＬＣＤ製の表示部１１４はこの環状形状目盛盤１１１の環状内側に位置していことが理解できる。
【００１６】
図２は速度計１１０の断面図であり、１１５は指針１１３を回転させる回動内機（ムーブメント）であり、１１６は回動内機１１５が固定された樹脂製の基板である。そして、基板１１６には、回動内機１１５に電気信号を供給する電気配線が形成されているとともに、表示部１１４を照らす光源をなす第１、２ＬＥＤ（発光ダイオード）１１７ａ、１１７ｂ、及び指針を照らす指針用光源をなす第３ＬＥＤ１１７ｃが設けられている。
【００１７】
なお、第１〜３ＬＥＤ１１７ａ〜１１７ｃも基板１１６上に形成された電気配線から電力を供給を受けている。
【００１８】
また、１１８ａは第１ＬＥＤ１１７ａからの光を表示部１１４の上部（警告灯１１４ｂ側）に導く第１プリズム（導光手段）であり、１１８ｂは第２ＬＥＤ１１７ｂからの光を表示部１１４の中央部から下部（簡易ナビ表示部１１４ｃ及びオドメータ１１４ａ側）に導く第２プリズム（導光手段）である。
【００１９】
なお、本実施形態では、第１ＬＥＤ１１７ａと第２ＬＥＤ１１７ｂの発光色が相違する異種の光源であるので、導光手段をなすプリズムも第１プリズム１１８ａ及び第２プリズム１１８ｂの２種としている。
【００２０】
また、第１、２プリズム１１８ａ、１１８ｂの外表面は、光を反射させることによりプリズムから１１８ａ、１１８ｂから光が漏れることを防止すべく、図２の太い実線部分は白色にて塗装されている。
【００２１】
因みに、第３ＬＥＤ１１７ｃからの光は、指針１１３内を通過することにより指針１１３を照らすように作用する。また、１１３ａは指針１１３の偶力を打ち消すバランサーであり、１１４ｄは表示部１１４ｄに信号電流を供給する信号線である。
【００２２】
次に、本実施形態の特徴を述べる。
【００２３】
本実施形態によれば、基板１１６に設けられた第１、２ＬＥＤ１１７ａ、１１７ｂからの光を第１、２プリズム１１８ａ、１１８ｂを介して表示部１１４に導くので、ＬＣＤ用の光源を指針の回転中心側に設け必要がなく、速度計１１０（指針計器）の構造を単純なものとすることができる。
【００２４】
したがって、速度計１１０（指針計器）の大型化及び製造原価上昇を抑制しつつ、簡便な手段に指針の回転中心側にＬＣＤ製の表示部１１４を配設することができる。
【００２５】
（その他の実施形態）
上述の実施形態では、表示部１１４としてＬＣＤを用いたが、本発明はこれに限定されるものではなく、ＣＲＴ（ブラウン管）、ＬＥＤ（発光ダイオード）からなる表示パネル、ＥＬ（エレクトロルミネッセンス）、プラズマディスプレイ、ＶＦＤ（冷電極放電管）等のその他の表示手段であってもよい。
【００２６】
また、上述の実施形態では、指針用光源（第３ＬＥＤ１１７ｃ）を有していたが、第３ＬＥＤ１１７ｃを廃止し、表示部１１４に光を供給する第１、２ＬＥＤ１１７ａ、１１７ｂの光を指針１１３に供給してもよい。
【００２７】
また、上述の実施形態では、表示部１１４に２種類以上の光を供給する必要があったので、２種以上の光源（第１、２ＬＥＤ１１７ａ、１１７ｂ）を有していたが、本発明はこれ限定されるものではなく、１種類の光源にて表示部１１４用の光源を構成してもよい。なお、この場合は、導光手段をなすプリズムを１個としてもよい。
【００２８】
また、上述の実施形態では、表示部１１４に光を導く導光手段としてプリズムを採用したが、本発明はこれに限定されるものではなく、光ファイバー等のその他の導光手段を採用してもよい。
【００２９】
また、光源はＬＥＤに限定されるものではなく、電球（バルブ）等のその他のものであってもよい。
【００３０】
また、上述の実施形態では、車両用の速度計を例に本発明を説明したが、本発明の適用はこれに限定されるものではなく、その他用途にも適用することができる。
【図面の簡単な説明】
【００３１】
【図１】本発明の実施形態に係る指針計器（コンビネーションメータ）の正面図である。
【図２】本発明の実施形態に係るコンビネーションメータのうち速度計の断面図である。
【符号の説明】
【００３２】
１１１…目盛盤、１１３…指針、１１４…表示部、１１５…回動内機、１１６…基板、１１７ａ…第１ＬＥＤ（光源）、１１７ｂ…第２ＬＥＤ（光源）、１１７ｃ…第３ＬＥＤ（指針用光源）。
【図１】
2006300958.tif 000003
【図２】
2006300958.tif 000004